(57)【要約】【課題】  どこででも簡単に使用できるとともに、使用時に磁石による指圧効果を減少させることのない腰当て健康器具を提供する。【解決手段】  横になった人Ｍが床面Ｆ側との間に挟み込んで、又は、着座した人Ｍが背もたれ部Ｑ１との間に挟み込んで、自らの腰部Ｍ１を加圧するようにして用いる腰当て健康器具１であって、薄い金属板を翼型状に湾曲させて形成され、翼厚方向Ｙに弾性変形容易な本体部１０と、翼弦長方向Ｘ側の湾曲した縁部１１を人Ｍの頭部Ｍ２側に向けた状態で、その腰部Ｍ１に当てられる本体部１０の翼厚方向Ｙ側の一方の側面部１３に、この腰部Ｍ１を加圧するように突出して設けられる複数の磁石２０とを有する。磁石２０は、翼厚方向Ｙに弾性変形容易な金属製の本体部１０に取り付けられているので、使用に当たって磁石２０が本体部１０側に沈み込んでしまうことはない。【選択図】        図４
0003151336.tif 000002
【実用新案登録請求の範囲】
【請求項１】
横になった人が床面側との間に挟み込んで、又は、着座した人が背もたれ部との間に挟み込んで、自らの腰部を加圧するようにして用いる腰当て健康器具であって、
薄い金属板を翼型状に湾曲させて形成され、翼厚方向に弾性変形容易な本体部と、翼弦長方向側の湾曲した縁部を前記人の頭部側に向けた状態で、その腰部に当てられる前記本体部の前記翼厚方向側の一方の側面部に、この腰部を加圧するように突出して設けられる複数の磁石とを有することを特徴とする腰当て健康器具。
【請求項２】
前記磁石は、前記人の背骨の両側の指圧壺を加圧できるように、２列に設けられていることを特徴とする請求項１記載の腰当て健康器具。
【請求項３】
前記本体部はアルミニウム板から形成されていることを特徴とする請求項１又は２記載の腰当て健康器具。
【考案の詳細な説明】
【技術分野】
【０００１】
この考案は、横になった人が床面側との間に挟み込んだり、又は、椅子等に着座した人が背もたれ部との間に挟み込んで、自らの腰部を加圧するようにして用いる腰当て健康器具に関するものである。
【背景技術】
【０００２】
例えば、自動車の運転をしたり、ワープロ打ち作業をするなど、腰を曲げた状態で同じ姿勢を長く続けていると、腰や腰の周辺に血行不良を引き起こし、腰に凝りや痛みを生じさせる。
【０００３】
一方、磁石は、磁力の作用によって血行を促進し、筋肉の凝りをほぐすと考えられるため、近年、磁石を利用した健康器具も種々提案されている。このため、かかる健康器具のうち、腰及び腰周辺の血行を促進し、腰の凝りや痛みを緩和するためのものも種々に提案されている（例えば、特許文献１、特許文献２）。
【０００４】
例えば、特許文献１に記載のものは、板状マットに複数の磁石を突出するように設けた健康器具（座席用指圧マット）であり、自動車の座席の背もたれ部にバンドで取り付けて使用される。また、特許文献２に記載のものは、空気枕の一面に複数の磁石を突出させるように設けた健康器具（腰枕）であり、空気枕を使用者の腰の体形に合わせてふくらませることにより使用される。
【先行技術文献】
【特許文献】
【０００５】
【特許文献１】特開昭５３−２５０９２号公報
【特許文献２】実開昭６０−３７３３９号公報
【考案の概要】
【考案が解決しようとする課題】
【０００６】
しかしながら、特許文献１に記載の健康器具は、自動車のシートに取り付けて使用されるものであるので、どこででも簡単に使用できるといったものではなく、かつ、使用時に、マットから突出した磁石が、柔らかいマット内に沈み込んでしまい、磁石による指圧効果が減少してしまうという問題があった。
【０００７】
また、特許文献２に記載の健康器具は、どこででも簡単に使用できるといった利点は有するが、特許文献１に記載の健康器具と同様に、使用時に磁石が弾力性のある空気枕内に沈み込んでしまい、磁石による指圧効果が減少してしまうという問題があった。
【０００８】
この考案は、以上の点に鑑み、どこででも簡単に使用できるとともに、使用時に磁石による指圧効果を減少させることのない腰当て健康器具を提供することを目的とする。
【課題を解決するための手段】
【０００９】
この考案の請求項１記載の考案は、横になった人が床面側との間に挟み込んで、又は、着座した人が背もたれ部との間に挟み込んで、自らの腰部を加圧するようにして用いる腰当て健康器具であって、薄い金属板を翼型状に湾曲させて形成され、翼厚方向に弾性変形容易な本体部と、翼弦長方向側の湾曲した縁部を前記人の頭部側に向けた状態で、その腰部に当てられる前記本体部の前記翼厚方向側の一方の側面部に、この腰部を加圧するように突出して設けられる複数の磁石とを有することを特徴とする。
【００１０】
この考案では、腰当て健康器具は、仰向けに横になった人の腰部の下に置かれて、腰部を自らの体重によって、この腰当て健康器具側に加圧するようにして使用される。また、この考案では、腰当て健康器具は、着座した人と椅子等の背もたれ部との間に置かれて、腰部を、この腰当て健康器具側に加圧するようにして使用される。
【００１１】
この腰当て健康器具は、使用に当たって、本体部の翼厚方向側の一方の側面部が使用者の腰部に押し当てられ、この側面部から突出する複数の磁石により、使用者の腰部を加圧して、腰部の指圧効果を高めるとともに、腰部及び腰部周辺の磁力による血行の促進を図る。この場合、腰当て健康器具は、使用者による加圧力によって、その腰部にフィットするように、本体部が加圧方向である翼厚方向に弾性変形する。
【００１２】
この考案の請求項２記載の考案は、請求項１記載の考案の場合において、前記磁石は、前記人の背骨の両側の指圧壺を加圧できるように、２列に設けられていることを特徴とすることを特徴とする。
【００１３】
この考案の請求項３記載の考案は、請求項１又は２記載の考案の場合において、前記本体部はアルミニウム板から形成されていることを特徴とするを特徴とする。
【考案の効果】
【００１４】
この考案の請求項１及び２記載の考案によれば、腰当て健康器具は、これを腰部に当てて使用すればよいだけなので、どこででも簡単に使用できるとともに、この腰当て健康器具では、腰部を介して、本体部に加圧力を及ぼしても、本体部が弾性変形するだけで、磁石が本体部側に沈み込むことはないので、磁石による指圧効果が減少してしまうことはない。
【００１５】
この考案の請求項３記載の考案によれば、全体の重量を軽くできるので、腰当て健康器具の取り扱いや持ち運びの容易化を図ることができるとともに、本体部の加工が容易となるので、腰当て健康器具の製作の容易化を図ることができる。
【図面の簡単な説明】
【００１６】
【図１】この考案の一実施の形態に係る腰当て健康器具の外観斜視図である。
【図２】腰当て健康器具の、部分拡大断面図を有する側面図である。
【図３】腰当て健康器具の平面図である。
【図４】腰当て健康器具の使用状態を示す図であり、（ａ）は、自動車に乗った人が使用する状態を示し、（ｂ）は、床面上に横たわった人が使用する状態を示している。
【考案を実施するための最良の形態】
【００１７】
以下、この考案の実施の形態を図面を参照しつつ説明する。
図１は、この考案の一実施の形態に係る腰当て健康器具の外観を示している。
この腰当て健康器具１は、図１で示されるように、厚さｔ（図２参照）が、例えば１ｍｍの薄い金属板（アルミニウム板）を飛行機の翼型状に湾曲させて、翼厚方向Ｙに弾性変形容易に形成された本体部１０と、この本体部１０に取り付けられる複数の永久磁石２０とから構成されている。
【００１８】
本体部１０は、図１や図２で示されるように、両方の側端部が数ミリだけ折り曲げられて２重部Ｒとなり、長手方向に帯状凹部Ｕを有するアルミニウム板Ａに、型を使用して１８０度の曲げ加工を施すことによって形成されており、翼弦長方向Ｘ側の一端側の縁部が、小さな半径で曲げられた湾曲縁部１１となり、他端部が、アルミニウム板Ａの長手端部どうしを重ね合わせるように当接させた当接縁部１２となるように形成されている。また、本体部１０は、翼厚方向Ｙ側の一方の側面部である腰当て部１３が、大きな半径で凸状に湾曲するように形成され、他方の側面部である基部１４が、当接縁部１２側の直線部１４ａと湾曲縁部１１側の凸状湾曲部１４ｂとからなように形成されている。なお、当接縁部１２では、腰当て部１３の２重部Ｒを有さない長手端部が、基部１４の２重部Ｒを有する長手端部側に折り曲げられて、腰当て部１３と基部１４とが加圧接合されている。
【００１９】
ここで、帯状凹部Ｕは、本体部１０の強度を上げるためのものであり、図３で示されるように、翼弦長方向Ｘに向く、幅方向中間位置に設けられた中心線Ｌを含むように、例えば、幅１５ｍｍ、深さ０．５ｍｍの大きさで形成されている。
【００２０】
本体部１０の腰当て部１３には、図３で示されるように、中心線Ｌの両側に、例えば一列で５個からなる浅い皿状の凹部１０ａが、１列ずつ形成されている。この凹部１０ａは、腰当て部１３が使用者Ｍの腰部Ｍ１に当てられた場合に、腰部Ｍ１の背骨両側の指圧壺に対面する位置に形成されている。この実施の形態では、１列中の凹部１０ａは、互いに略等間隔に設けられ、かつ、隣接する他列のものとは、向かい合わせに設けられている。
【００２１】
永久磁石２０は、図１や図２で示されるように、外形１９ｍｍで、高さ１０ｍｍの円柱状のものであり、円柱状の両端面側が所定半径で面取りされている。この永久磁石２０は、例えば、磁力の強いフェライト磁石からなるものであり、本体部１０の凹部１０ａ内に位置決めされた後、この本体部１０に接着剤Ｗにより取り付けられる。この場合、この永久磁石２０は、本体部１０からの突出長さＴが、例えば、７〜８ｍｍとなるように、本体部１０に取り付けられる。
【００２２】
ここで、図３で示されるように、本体部１０の幅方向長さＳ１は、約１９０ｍｍであり、翼弦長方向Ｘの長さＳ２は、約２４０ｍｍである。また、図２で示されるように、本体部１０の翼厚方向Ｙの長さの最大値Ｓ３は、約４０ｍｍである。なお、この腰当て健康器具１の重量は、約５５０ｇである。
【００２３】
つぎに、この腰当て健康器具１の使用方法と作用効果について説明する。
この腰当て健康器具１は、図４の（ａ）で示されるように、例えば、自動車の運転者（使用者）Ｍの腰部Ｍ１と座席Ｑの背もたれ部Ｑ１間に置かれて、運転者Ｍが腰部Ｍ１を背もたれ部Ｑ１側に軽く押しつけることにより使用される。この場合、腰当て健康器具１は、本体部１０の湾曲縁部１１を上向き（運転者Ｍの頭部Ｍ２がわ向き）にした状態で、腰当て部１３が運転者Ｍ側に向けて使用されるため、運転者Ｍが腰部Ｍ１を背もたれ部Ｑ１側に軽く押しつけることにより、本体部１０は、２点鎖線で示されるように翼厚方向Ｙに弾性変形して、腰当て部１３を腰部Ｍ１にフィットさせ、永久磁石２０を腰部Ｍ１に加圧する。このため、永久磁石２０は、腰部Ｍ１の背骨の両側の指圧壺を押圧することとなり、自動車の振動と相俟って、腰部Ｍ１を指圧マッサージすることとなるため、運転者Ｍの腰部Ｍ１の凝りをほぐすこととなる。また、この永久磁石２０は、腰部Ｍ１に磁力を作用させ、血液中のイオンの流れを促進するため、腰部Ｍ１が暖かくなるように、腰部Ｍ１及び腰部Ｍ１周りの血流を促進させる。
【００２４】
特に、この腰当て健康器具１では、薄い金属板（アルミニウム板）から形成される本体部１０上に永久磁石２０を突出するように設けているので、加えた力で本体部１０が弾性変形しても、永久磁石２０が本体部１０内に沈み込んでしまうことは無く、永久磁石２０の本体部１０からの突出長さＴが変化することはない。このため、この腰当て健康器具１では、加えた力によって、永久磁石２０によるマッサージ効果が減少してしまうことは無く、加えた力に見合ったマッサージ効果を達成できる。
【００２５】
したがって、自動車の運転者Ｍは、腰を曲げた同一姿勢で長時間車の運転をしても、この腰当て健康器具１により、従来の健康器具に比べて、腰部Ｍ１の凝りが充分にほぐされるとともに、腰部Ｍ１及び腰部Ｍ１周辺の血流が充分に促進され、運転中や運転終了後に、効果的に体の痛みや凝りをとることができるとともに、効果的に体の疲れをとることができる。
【００２６】
ここで、この腰当て健康器具１は、自動車の座席Ｑの他、例えば、ワープロ打ちする人が座る椅子の背もたれ部側に置いたり、テレビ観戦する人が座る座椅子の背もたれ部側に置いて使用しても、同様な作用効果を達成できる。また、椅子の背もたれ部は、クッション効果のない板状のものでもよいし、クッション効果の大きいバネ入りやクッション材入りのものでもよい。もちろん、この腰当て健康器具１は、これを、家庭内の家具の垂直面側や建物の壁面側に置いて使用しても、同様な作用効果を達成できる。
【００２７】
また、この腰当て健康器具１は、図４の（ｂ）で示されるように、例えば床面Ｆ上に仰向けに横になった使用者Ｍの腰部Ｍ１の下に置かれて、これに使用者Ｍの体重の一部をかけることにより使用される。この腰当て健康器具１は、本体部１０の湾曲縁部１１を使用者Ｍの頭部Ｍ２側に向けた状態で、腰当て部１３を使用者Ｍ側に向けて使用されるため、使用者Ｍが体重の一部を腰部Ｍ１にかけることにより、本体部１０は加圧方向である翼厚方向Ｙに弾性変形して、腰当て部１３を腰部Ｍ１にフィットさせ、永久磁石２０を腰部Ｍ１に加圧する。このため、永久磁石２０は、腰部Ｍ１の背骨の両側の指圧壺を押圧することとなり、腰部Ｍ１を指圧マッサージすることとなって、使用者Ｍの腰部Ｍ１の凝りをほぐすこととなる。この場合、使用者Ｍが腰部Ｍ１を軽く左右等に振ることによりマッサージ効果は向上する。また、この永久磁石２０は、腰部Ｍ１に磁力線を作用させ、血液中のイオンの流れを促進するため、腰部Ｍ１が暖かくなるように、腰部Ｍ１及び腰部Ｍ１周りの血流を促進させる。
【００２８】
この場合でも、この腰当て健康器具１では、薄い金属板（アルミニウム板）から形成される本体部１０上に永久磁石２０を突出するように設けているので、加えた力で本体部１０が弾性変形しても、永久磁石２０が本体部１０内に沈み込んでしまうことは無く、永久磁石２０の本体部１０からの突出長さＴが変化することはない。このため、この腰当て健康器具１では、加えた力によって、永久磁石２０によるマッサージ効果が減少してしまうことは無く、加えた力に見合ったマッサージ効果を達成できる。
【００２９】
したがって、例えば、椅子等に長時間座って体に疲れを感じている使用者Ｍは、横になって腰当て健康器具１を使用することにより、従来の健康器具に比べて、腰部Ｍ１の凝りが充分にほぐされるとともに、腰部Ｍ１及び腰部Ｍ１周りの血流が充分に促進されて、効果的に体の疲れをとることができる。
【００３０】
また、この腰当て健康器具１は、これを使用者Ｍの腰部Ｍ１と背もたれ部Ｑ１や床面Ｆ側との間に置くだけで使用できるので、どのような場所でも容易かつ簡単に使用できるとともに、サイズも重量も小さいので、持ち運びや取り扱いも容易である。したがって、この腰当て健康器具１は、誰もが、どこででも、容易に使用できる。また、アルミニウム板は加工が容易であるので、本体部１０も容易に製作することができる。
【００３１】
なお、図４の（ｂ）では、使用者Ｍは、膝Ｍ３を曲げた状態で腰当て健康器具１を使用しているが、膝Ｍ３を伸ばした状態で、これを使用してもよい。
【００３２】
また、図４の（ｂ）では、使用者Ｍは、腰当て健康器具１を床面Ｆ上に直接置いて使用しているが、床面Ｆ上にクッション効果を有する敷布団やマットを敷いて、この上に腰当て健康器具１を置いて使用してもよい。
【００３３】
さらに、この腰当て健康器具１は、永久磁石２０の作用によって、凝りをほぐしたり、血流の促進を促すものであるため、充分な効果を出すには、１〜２時間以上の継続使用が必要となる。このことは、自動車の運転中等に、この腰当て健康器具１を使用する場合も同様である。
【００３４】
また、この腰当て健康器具１は、使用者Ｍの腰部Ｍ１に当てて使用されるものであるが、これを背中に当てたり、肩に当てて使用しても、腰部Ｍ１と同様な効果を達成できる。
【００３５】
ここで、腰当て健康器具１の本体部１０は、これが、加えられた力によって、使用者Ｍや運転者Ｍの腰部Ｍ１にフィットするように、加圧方向である翼厚方向Ｙに弾性変形するものであれば、その形状を図１や図２で示したものから変化させてもよい。すなわち、本体部１０は、当接縁部１２側が、湾曲縁部１１より小さい曲率で曲げられているものであってもよいし、腰当て部１３が、一部が凸状に湾曲し残りが平面状に形成されていてもよく、かつ、基部１４が凸状又は凹状に湾曲したものであってもよいし、平面上に形成されていてもよい。
【００３６】
また、腰当て健康器具１の永久磁石２０も、プラスチック製のものやゴム状に弾性変形するものであってもよい。
【００３７】
さらに、本体部１０の材質も、軽くて弾性力のある金属板であれば、アルミニウム以外のものでもよい。
【００３８】
また、腰当て健康器具１を、薄くて伸縮効果の大きい例えばビロード製の布袋で包めば、外観がよくなるとともに、使用時に、滑りがよくなり、突出した永久磁石２０が衣服に引っかかるのを防止できる。
【００３９】
さらに、この腰当て健康器具１は、通常の衣服を着た使用者Ｍがこれを腰部Ｍ１に当てて使用するものであるが、寝間着姿や下着姿の使用者Ｍがこれを使用してもよい。
【符号の説明】
【００４０】
１  腰当て健康器具
１０  本体部
１１  湾曲縁部（湾曲した縁部）
１３  腰当て部（一方の側面部）
２０  永久磁石（磁石）
Ｆ  床面
Ｍ  使用者（横になった人、着座した人）
Ｍ１  腰部
Ｍ２  頭部
Ｑ１  背もたれ部
Ｘ  翼弦長方向
Ｙ  翼厚方向
【図１】
0003151336.tif 000003
【図２】
0003151336.tif 000004
【図３】
0003151336.tif 000005
【図４】
0003151336.tif 000006